(57)【要約】【課題】座席の前後調整及び回動調整を容易に行えるものとして、運転操作を容易化する。【解決手段】エンジンカバー（８）の上部に上下方向姿勢の支持用筒体（９）を設け、該支持用筒体（９）に上下方向に摺動自在な支持部材（１０）を設け、該支持部材（１０）の上端部に支持受板（１１）を設け、該支持受板（１１）の上側に、座席（１４）取付用の移動用支持板（１２）を前後方向に摺動自在に重合させて設け、該移動用支持板（１２）の前端部に、左右方向に設けた支持軸（１５）の軸心（イ）を中心として座席（１４）を上下回動自在に軸着する。【選択図】図１
2010006228.tif 000002
【特許請求の範囲】
【請求項１】
エンジンカバー（８）の上部に上下方向姿勢の支持用筒体（９）を設け、該支持用筒体（９）に上下方向に摺動自在な支持部材（１０）を設け、該支持部材（１０）の上端部に支持受板（１１）を設け、該支持受板（１１）の上側に、座席（１４）取付用の移動用支持板（１２）を前後方向に摺動自在に重合させて設け、該移動用支持板（１２）の前端部に、左右方向に設けた支持軸（１５）の軸心（イ）を中心として座席（１４）を上下回動自在に軸着したことを特徴とするコンバインの座席支持構造。
【発明の詳細な説明】
【技術分野】
【０００１】
この発明は、コンバインの座席支持構造に関するものである。
【背景技術】
【０００２】
特開平９−２９５５２９号公報で示すように、立毛穀稈を刈取り脱穀するコンバインを運転操作する運転作業者が着座する座席装置は、機体側に、ガススプリング式の上下位置調節支持装置と、上下方向拡縮式の位置決めリンク機構とを並設し、該上下位置調節支持装置と位置決めリンク機構との上端部にわたって、前後方向スライド支持レールを設け、該スライド支持レールに対して座席は、前後方向スライド位置調節可能に設けた構成である。
【特許文献１】特開平９−２９５５２９号公報
【発明の開示】
【発明が解決しようとする課題】
【０００３】
立毛穀稈を刈取り脱穀するコンバインを運転操作する運転作業者が着座する座席装置の座席は、前後方向にスライド調節可能であるが、機体に対して左右方向には、移動自在な構成でなく、固定方式であることにより、このために、該座席の左側に位置させて設けている、刈取装置に不具合が発生した時には、該座席に着座姿勢の状態で、この刈取装置の不具合箇所の点検が困難であった。また、運転作業者の体格や作業時の姿勢に応じて座席を調節することができず、作業能率が低下していたが、これを解消しようとするものである。
【課題を解決するための手段】
【０００４】
上述のような課題を解決するために、この発明は、次のような技術手段を講じる。
このために、この発明は、エンジンカバー（８）の上部に上下方向姿勢の支持用筒体（９）を設け、該支持用筒体（９）に上下方向に摺動自在な支持部材（１０）を設け、該支持部材（１０）の上端部に支持受板（１１）を設け、該支持受板（１１）の上側に、座席（１４）取付用の移動用支持板（１２）を前後方向に摺動自在に重合させて設け、該移動用支持板（１２）の前端部に、左右方向に設けた支持軸（１５）の軸心（イ）を中心として座席（１４）を上下回動自在に軸着したことを特徴とするコンバインの座席支持構造としたものである。
【発明の効果】
【０００５】
この発明によると、エンジンカバー（８）の上部に上下方向姿勢の支持用筒体（９）を設け、該支持用筒体（９）に上下方向に摺動自在な支持部材（１０）を設け、該支持部材（１０）の上端部に支持受板（１１）を設け、該支持受板（１１）の上側に、座席（１４）取付用の移動用支持板（１２）を前後方向に摺動自在に重合させて設け、該移動用支持板（１２）の前端部に、左右方向に設けた支持軸（１５）の軸心（イ）を中心として座席（１４）を上下回動自在に軸着したことにより、該座席（１４）の前後調整、及び回動が容易に行えることによって、刈取作業時の運転者の姿勢を適正化して作業能率を高めることができる。又、運転操作を容易に行うことができる。
【発明を実施するための最良の形態】
【０００６】
以下、本発明の一実施例を図面に基づいて説明する。
コンバイン１の走行装置２の上側には、走行車台３を設け、この走行車台３の前側には、立毛穀稈を刈取り後方上部へ移送する刈取装置４を設けている。該刈取装置４から刈取り穀稈の供給を受け、この刈取り穀稈を脱穀、及び選別する脱穀装置５を該走行車台３の右横側へ載置すると共に、該脱穀装置５の右横側には、脱穀済みで選別済みの穀粒を、該脱穀装置５より、供給を受け一時貯留する穀粒貯留タンク６を載置した構成である。
【０００７】
前記走行車台３の上側で該脱穀装置５の前側には、該コンバイン１の各部を回転駆動するエンジン７を載置している。該エンジン７の上側には、エンジンカバー８を設け、該エンジンカバー８上部の上下方向姿勢に設けた支持用筒体９に上下方向に摺動自在な支持部材１０を設けている。該支持部材１０の上端部には、支持受板１１を設けて、該支持受板１１の上側には、前後方向に摺動移動自在に移動用支持板１２を重合させて設けると共に、該移動用支持板１２の前端部に、運転操縦者が着座する座席装置１３の座席１４は、左右方向に設けた支持軸１５の軸心（イ）を回動中心として、上下回動自在に軸支して設けた構成としたものである。
【０００８】
前記コンバイン１の走行車台３の下側には、図３で示すように、土壌面を走行する左右一対の走行クローラ２ａを張設した走行装置２を配設し、走行車台３の上側面に脱穀装置５を載置している。該走行車台３の前方部の刈取装置４で立毛穀稈を刈取りして、後方上部に移送し、該脱穀装置４のフィードチェン５ａと、挟持杆５ｂとで引継いで挟持移送しながら脱穀する。脱穀済みで選別済み穀粒は、該脱穀装置５の右横側へ配設した穀粒貯留タンク６内へ供給され、一時貯留される。
【０００９】
前記穀粒貯留タンク６側の前方部には、図１〜図３で示すように、コンバイン１を運転操作する操作装置１７を設けている。又、該穀粒貯留タンク６の前側で、該操作装置１７の後方部には、運転作業者が着座して該コンバイン１を運転操作する座席装置１３の座席１４と、背もたれ１４ａとを一体に形成して設けた構成である。これら座席１４と、背もたれ１４ａとは、左右方向に軸支して設けた支持軸１５の軸心（イ）を中心として、上下回動自在に軸支して設け、運転作業者が該コンバイン１に乗り降りを容易にした構成である。
【００１０】
前記座席装置１３は、図１、及び図２で示すように、エンジン７を覆うように設けたエンジンカバー８上部の上下方向姿勢の支持用筒体９に、上下方向に摺動自在な支持部材１０を設け、該支持部材１０の上端部には、支持受板１１を設けている。該支持受板１１の上側で、前後移動調節自在に座席１４の下側には、移動用支持板１２を重合させて設けると共に、該移動用支持板１２の前方部には、コンバイン１を走行操作する操作装置１７を設け、該操作装置１７の後方部で該移動用支持板１２の前端部には、該操作装置１７を操作する運転作業者が着座する座席１４の前端部に設けた前支持板１２ａを、左右方向に軸支して設けた支持軸１５の軸心（イ）を中心として、上下回動自在に軸着して設けた構成である。
【００１１】
前記コンバイン１の各部を回転駆動させる。該エンジン７のエンジンカバー８上部の上下方向姿勢の支持用筒体９に、上下方向に摺動自在な支持部材１０を設け、該支持部材１０の上端部には、支持受板１１を設けて、該支持受板１１の上側には、前後方向に摺動自在に、移動用支持板１２を重合させて設けると共に、該移動用支持板１２の前端部に座席１４を左右方向に設けた支持軸１５の軸心（イ）を中心として、上下回動自在に軸着して設けたことにより、該座席１４の前後調整、及び回動が容易に行えることにより、穀稈を刈取る刈取装置４の点検、及び補修等を容易に行うことができる。又、運転操作が容易である。
【００１２】
前記座席装置１３の座席１４の前方下部には、図１、及び図２で示すように、支持軸１５を設け、この支持軸１５部で該座席１４を回動可能に構成した、コンバイン１の座席１４において、該取付部が回動可能で前後方向調節可能に移動用支持板１２を設け、該移動用支持板１２を支持受板１１で支持させる構成において、これら支持受板１１と、移動用支持板１２とは、コの字形状に構成して設けている。
【００１３】
これにより、前記座席装置１３の座席１４の前後、及び上下調整と、回動とを容易に行うことができる。又、該座席１４の下方の空間部が拡大し、該座席１４の上下ロック部品の操作が容易に行える。更に、固定が確実に行える。
【００１４】
前記座席装置１３の座席１４に設けた支持部材１０は、図１、及び図２で示すように、該支持受板１１の上側の平面部で支持させた構成である。又、移動用支持板１２は、該座席１４の下面の平坦部とほぼ同じ長さにして設けた構成である。
【００１５】
これにより、前記座席装置１３の座席１４を、前後、及び上下調整と、回動とを容易に行うことができる。又、該座席１４の下方の空間部が拡大し、該座席１４の上下ロック部品の操作が容易に行える。更に、固定が確実に行える。移動用支持板１２を該座席１４の下側の平面部で支持することにより、該座席１４が安定する。又、構成が簡素化でき、該座席１４の強度アップを図ることができる。
【００１６】
前記座席装置１３の座席１４の上下方向位置を固定する固定ハンドル軸１６の把持部１６ａの前端部は、図１で示すように、該座席１４の前端部より、所定寸法（Ｌ１）後方部に位置させて設けた構成である。
【００１７】
これにより、前記座席装置１３の座席１４の前後、及び上下調整と、回動とを容易に行うことができる。該座席１４の取付部品が該座席１４の前端部より、前方にでないことにより、運転作業者の足元空間部が広くなり、操作性が向上する。
【００１８】
前記座席装置１３の座席１４の下側面には、図１、及び図２で示すように、前端部にコ字形状の前支持板１２ａと、後端部に板状の後支持板１２ｂとを固着して設けている。これら前・後支持板１２ａ、１２ｂの下側には、コ字形状で側板部に多数個の固定用孔１２ｃを設けた移動用支持板１２を設けている。
【００１９】
前記座席１４の下側面に設けた該移動用支持板１２の内側には、コ字形状で側板部に多数個の固定用孔１１ａを設けた支持受板１１を設けている。該支持受板１１の前後方向の略中央部には、上下方向に複数個の固定用のネジ孔１０ａを設けた支持部材１０を固着して設けている。
【００２０】
前記支持部材１０は、図１、及び図２で示すように、エンジンカバー８の前方上部に設けた支持用筒体９に挿入した構成であり、座席１４の前後移動範囲において、該座席１４の座面の略中心部を支持するような長さとした構成である。
【００２１】
これにより、前記座席１４の前後、及び上下調整と、回動とが容易に行える。支持受板１１の前後調整範囲において、該座席１４の座面の略中心部を支持する長さとすることで、軽量化、及びコストダウンを図ることができる。
【００２２】
前記座席１４の下側面に設けた移動用支持板１２と、該移動用支持板１２の下側に設けた支持受板１１とは、下方開放型のコ字構成とした構成である。又、該支持受板１１の支柱部と、該移動用支持板１２の間に連結部材である支持部材１０を設けた構成である。
【００２３】
これにより、前記支持部材１０の補強が容易に行える。又、空間部を利用することができ、構成の簡素化を図ることができる。
前記移動用支持板１２と、支持受板１１との両者の巾方向により、巾方向を規制して、巾方向を固定した構成である。
【００２４】
これにより、特別な巾方向の固定部材が不用となり、コスト低減を図ることができる。
前記固定ハンドル軸１６は、図４、及び図５で示すように、支持部材１０の外径部に挿入した、支持用筒体９の外周部へ固着して設けた、ナット９ａへ螺挿入し、該固定ハンドル軸１６の先端部は、略山形状のテーパに加工し、この先端の加工部１６ｂを焼入し、この焼入した加工部１６ｂを、該支持部材１０に複数個設けた孔部１０ａの上下方向の任意位置へ挿入することにより、運転作業者が着座して運転操作する、座席１４の上下方向の高さ位置を、所定高さ位置に変更操作できる構成であると共に、相手穴のエッジ部にテーパ面を押付けて、該座席１４を固定する構成である。
【００２５】
これにより、固定する前記固定ハンドル軸１６の緩みを防止できる。又、該座席１４の回転方向のガタの軽減を図ることができる。
図６で示すように、前記支持受板１１には、支持部材１０を固着して設け、この支持部材１０には、上下方向に所定間隔で複数個の締付用のネジ孔１０ｂを設けている。
【００２６】
前記エンジンカバー８の前方上部に設けた取付具８ａに、支持用筒体９を固着して設け、この支持用筒体９には、支持受板１１の下側面に横方向へ複数個のネジ孔１０ｂを、上下方向に所定間隔で設けた支持部材１０を挿入する構成であり、固定ハンドル軸１６を該支持用筒体９を介して、該支持部材１０のネジ孔１０ｂへ螺挿入する上下位置により、座席装置１３の座席１４位置が上下移動自在になる構成である。
【００２７】
前記固定ハンドル軸１６の外径部の所定位置には、締付板１６ｃを設けると共に、この締付板１６ｃと、該支持用筒体９の外径部との間で、該固定ハンドル軸１６の外径部には、カラー１６ｄを軸支して設けた構成である。
【００２８】
これにより、座席１４の回転方向のガタを軽減することができる。又、耐久性の向上を図ることができる。
前記走行車台３の前方部には、図３で示すように、立毛穀稈を分離するナローガイド１８、及び各分草体１９と、立毛穀稈を引起す各引起装置２０と、引起された穀稈を掻込み移送する穀稈掻込移送装置２１の各掻込装置２１ａと、掻込された穀稈を刈取る刈刃装置２２と、刈取りされた穀稈を挟持移送して脱穀装置５のフィードチェン５ａと、挟持杆５ｂとへ受渡しする該穀稈掻込移送装置２１の根元・穂先移送装置２３・２４等からなる刈取装置４を設けている。該刈取装置４は、油圧駆動による伸縮シリンダ２５により、土壌面に対して昇降する。
【００２９】
前記刈取装置４の前方下部から後方上部へ傾斜する支持杆２６の上端部に設ける支持パイプ杆２７を、走行車台３の上側面に設けた支持装置２８で回動自在に支持させている。伸縮シリンダ２５を作動させると支持杆２６と共に、該刈取装置４が上下回動する。
【００３０】
前記刈取装置４の穀稈掻込移送装置２１によって形成される穀稈移送経路中には、刈取られて移送する穀稈に接触作用することにより、脱穀装置５への穀稈の供給の有無を検出する穀稈センサ２９を設けている。
【００３１】
前記穀粒貯留タンク６側の前部には、図３で示すように、コンバイン１を始動、停止、及び各部を調節等の操作を行う操作装置１７と、座席１４とを設け、この座席１４の下側にエンジン７を載置している。
【００３２】
前記コンバイン１の走行車台３の上側面に載置したエンジン７の回転数を高速から低速に調節するスロットルレバー３０は、従来の図８で示すような略く字形から、図７で示すような略Ｌ字形状に変更して、該コンバイン１の側板１ａの外側に軸支して設けた構成である。
【００３３】
これにより、特に、高回転域の微調整が容易になり、操作性の向上を図ることができる。
前記走行車台３の前端部に装架した走行用ミッションケース３１内の伝動機構３１ａの伝動経路中には、その出力に基づいて、走行車速を検出するポテンションメータ方式の車速センサ３１ｂを設けている。
【００３４】
前記穀粒貯留タンク６内へ貯留した穀粒を機外へ排出する、この穀粒貯留タンク６の後側には、図３で示すように、縦移送螺旋３２ａを内装した排出支持筒３２を略垂直姿勢で旋回自在に装着して設け、この排出支持筒３２の上端部には、その全長がコンバイン１の前後長に亘る機外へ穀粒を排出する排出螺旋３３ａを伸縮自在に内装した排出オーガ３３を伸縮自在、上下回動自在、及び左右旋回自在に前後方向に配設している。
【図面の簡単な説明】
【００３５】
【図１】座席装置部の側面図
【図２】座席装置部の正面図
【図３】コンバインの左側全体側面図
【図４】座席装置の支持部材の締付部の側面図
【図５】座席装置の支持部材の締付部の拡大側面図
【図６】座席装置の支持部材の締付部の拡大側面図
【図７】スロットルレバーの側面図
【図８】スロットルレバーの従来の側面図
【符号の説明】
【００３６】
８  エンジンカバー
９  支持用筒体
１０  支持部材
１１  支持受板
１２  移動用支持板
１４  座席
１５  支持軸
イ  軸心
【図１】
2010006228.tif 000003
【図２】
2010006228.tif 000004
【図３】
2010006228.tif 000005
【図４】
2010006228.tif 000006
【図５】
2010006228.tif 000007
【図６】
2010006228.tif 000008
【図７】
2010006228.tif 000009
【図８】
2010006228.tif 000010